【手続補正書】
【提出日】平成24年10月4日(2012.10.4)
【手続補正１】
【補正対象書類名】特許請求の範囲
【補正対象項目名】全文
【補正方法】変更
【補正の内容】
【特許請求の範囲】
【請求項１】
少なくとも１つのキャリア本体（１２）と、
垂直方向に延び、第１の端部（４２）及び第２の端部（４４）を有する少なくとも２つの電極（４０ａ、ｂ）とを有する測定素子（１０）を用いて、少なくとも、電気伝導性液体の充填高さの決定をするための導電率測定装置（１）であって、
少なくとも１つの電極（４０ａ、ｂ）は、前記第１の端部（４２）の領域に少なくとも１つの遮蔽された領域（２２）と、そして、少なくとも、測定素子（１０）の下部に垂直方向に配列して第１の接触面と、測定素子（１０）の上部に垂直方向に配列して第２の接触面を有し、各接触面が、前記遮蔽された領域（２２）に隣接し、
前記遮蔽された領域（２２）の垂直方向の寸法が、第２の露出した接触面（５２）の垂直方向の寸法よりも小さい導電率測定装置（１）において、
各電極（４０ａ、ｂ）が、前記第１の端部（４２）の領域に少なくとも１つの遮蔽された領域（２２）と、そして少なくとも第１及び第２の露出した接触面（４６、５２）を有し、各接触面が、前記遮蔽された領域（２２）に隣接し、
前記遮蔽された領域（２２）の垂直方向の寸法が、前記第２の露出した接触面（５２）の垂直方向の寸法よりも小さく、
前記遮蔽された領域（２２）の垂直方向の寸法が、前記第１の露出した接触面（４６）の垂直方向の寸法よりも大きい導電率測定装置（１）。
【請求項２】
前記電極（４０ａ、ｂ）は、前記遮蔽された領域（２２）で前記キャリア本体（１２）に完全に埋設されている請求項１の装置。
【請求項３】
前記第１の露出した接触面（４６）は、前記電極（４０ａ、ｂ）の前記第１の端部（４２）に少なくとも１つの端面（４８）を有する請求項１ないし２のいずれか１の装置。
【請求項４】
前記電極（４０ａ、ｂ）は、前記遮蔽された領域（２２）の下端（２６）を超えて、前記キャリア本体（１２）から下向きに突出している請求項３の装置。
【請求項５】
チャネル（２８ａ、ｂ）が、前記電極（４０ａ、ｂ）を収容するように、前記キャリア本体（１２）の前記遮蔽された領域（２２）に形成されており、
前記電極（４０ａ、ｂ）は、前記チャネル（２８ａ、ｂ）の後ろに設定されている請求項１ないし３のいずれか１の装置。
【請求項６】
前記第１の露出した接触面（４６）は、前記電極（４０ａ、ｂ）の前記第１の端部（４０）の領域で前記電極（４０ａ、ｂ）の側面（５０）である請求項１ないし２のいずれか１の装置。
【請求項７】
前記２つの電極（４０ａ、ｂ）の前記第１の露出した側面（５０）は、互いに対向して配置されている請求項６の装置。
【請求項８】
前記第１の露出した側面（５０）は、端面（４８）から所定の距離のところに配置されている請求項４ないし７のいずれか１の装置。
【請求項９】
前記第２の露出した接触面（５２）は、各時間で、前記電極（４０ａ、ｂ）の側面（５３）である請求項１ないし８のいずれか１の装置。
【請求項１０】
前記第２の露出した接触面（５２）は、前記遮蔽された電極（２２）から前記電極（４０ａ、ｂ）の前記第２の端部（４４）の領域に延びている請求項１ないし９のいずれか１の装置。
【請求項１１】
前記キャリア本体（１２）は、前記電極（４０ａ、ｂ）の間の下端（１６）に凹部（３８）を有する請求項１ないし１０のいずれか１の装置。
【請求項１２】
前記キャリア本体（１２）の下端（１６）は、傾斜している請求項１ないし１１のいずれか１の装置。
【請求項１３】
処理されていない液体を収容するための第１の容器（７２）と、処理された液体を収容するための第２の容器（８６）と、請求項１ないし１２のいずれか１の導電率測定装置（１）とを具備している液体処理装置（７０）。
【請求項１４】
前記測定素子（１０）は、前記容器（７２、８６）の壁（８２、９０）の隣に配置されており、
前記電極（４０ａ、ｂ）の前記第２の露出した面（５２）は、前記壁（８２、９０）に面している請求項１３の装置。
【請求項１５】
遮断壁が、水のしぶき又ははね返る水から保護するように、前記容器（７２、８６）中に設けられている請求項１３ないし１４のいずれか１の装置。
【手続補正２】
【補正対象書類名】明細書
【補正対象項目名】００６３
【補正方法】変更
【補正の内容】
【００６３】
他の実施の形態は、導電率測定装置１もまた第２の容器８６内に設けられているものを提供する。このさらなる実施の形態を説明するために、裏側面３４は、第２の容器８６の壁９０に向かって向けられ、また、露出した接触面を支持している前側面３２は、容器の内部に導かれる。フィルタカートリッジ８４から出ることによって測定素子１０から離れうるしぶきの水７８を保つために、第２の容器８６は、下側領域に仕切壁９６を有し、これは、装置１の前側面３２全体をほぼ覆っている。
以下に、本件出願の当初の特許請求の範囲に記載された発明を付記する。
［付記１］
少なくとも１つのキャリア本体（１２）と、
垂直方向に延び、第１の端部（４２）及び第２の端部（４４）を有する少なくとも２つの電極（４０ａ、ｂ）とを有する測定素子（１０）を用いて、少なくとも、電気伝導性液体の充填高さの決定をするための導電率測定装置（１）において、
前記電極（４０ａ、ｂ）は、前記第１の端部（４２）の領域に少なくとも１つの遮蔽された領域（２２）を有し、
各電極（４０ａ、ｂ）が、少なくとも第１及び第２の露出した接触面（４６、５２）を有し、各々が、前記遮蔽された領域（２２）に隣接し、
前記遮蔽された領域（２２）の垂直方向の寸法が、前記第１の露出した接触面（４６）の垂直方向の寸法よりも大きいことを特徴とする導電率測定装置（１）。
［付記２］
前記第１の露出した接触面（４６）の垂直方向の寸法と、前記遮蔽された領域（２２）の垂直方向の寸法とが、前記充填レベルの時間変化に合わせられていることを特徴とする付記１の装置。
［付記３］
前記遮蔽された領域（２２）の垂直方向の寸法が、前記第２の露出した接触面（５２）の垂直方向の寸法よりも小さいことを特徴とする付記１又は２の装置。
［付記４］
前記電極（４０ａ、ｂ）は、前記遮蔽された領域（２２）で前記キャリア本体（１２）に完全に埋設されていることを特徴とする付記１ないし３のいずれか１の装置。
［付記５］
前記第１の露出した接触面（４６）は、前記電極（４０ａ、ｂ）の前記第１の端部（４２）に少なくとも１つの端面（４８）を有することを特徴とする付記１ないし４のいずれか１の装置。
［付記６］
前記電極（４０ａ、ｂ）は、前記遮蔽された領域（２２）の下端（２６）を超えて、前記キャリア本体（１２）から下向きに突出していることを特徴とする付記５の装置。
［付記７］
チャネル（２８ａ、ｂ）が、前記電極（４０ａ、ｂ）を収容するように、前記キャリア本体（１２）の前記遮蔽された領域（２２）に形成されており、
前記電極（４０ａ、ｂ）は、前記チャネル（２８ａ、ｂ）の後ろに設定されていることを特徴とする付記１ないし５のいずれか１の装置。
［付記８］
前記第１の露出した接触面（４６）は、前記電極（４０ａ、ｂ）の前記第１の端部（４０）の領域で前記電極（４０ａ、ｂ）の側面（５０）であることを特徴とする付記１ないし４のいずれか１の装置。
［付記９］
前記２つの電極（４０ａ、ｂ）の前記第１の露出した側面（５０）は、互いに対向して配置されていることを特徴とする付記８の装置。
［付記１０］
前記第１の露出した側面（５０）は、端面（４８）から所定の距離のところに配置されていることを特徴とする付記６ないし９のいずれか１の装置。
［付記１１］
前記第２の露出した接触面（５２）は、各時間で、前記電極（４０ａ、ｂ）の側面（５３）であることを特徴とする付記１ないし１０のいずれか１の装置。
［付記１２］
前記第２の露出した接触面（５２）は、前記遮蔽された電極（２２）から前記電極（４０ａ、ｂ）の前記第２の端部（４４）の領域に延びていることを特徴とする付記１ないし１１のいずれか１の装置。
［付記１３］
前記電極（４０ａ、ｂ）は、これらの全長に沿って一定の断面を有することを特徴とする付記１ないし１２のいずれか１の装置。
［付記１４］
前記キャリア本体（１２）は、キャリアプレートであり、
前記電極（４０ａ、ｂ）は、前記キャリアプレートの平面で互いに側面に沿って配置されていることを特徴とする付記１ないし１３のいずれか１の装置。
［付記１５］
前記キャリア本体（１２）は、前記電極（４０ａ、ｂ）の間の下端（１６）に凹部（３８）を有することを特徴とする付記１ないし１４のいずれか１の装置。
［付記１６］
前記キャリア本体（１２）の下端（１６）は、傾斜していることを特徴とする付記１ないし１５のいずれか１の装置。
［付記１７］
前記電極（４０ａ、ｂ）は、金属からなることを特徴とする付記１ないし１６のいずれか１の装置。
［付記１８］
前記電極（４０ａ、ｂ）は、電気伝導性のプラスチックからなることを特徴とする付記１ないし１６のいずれか１の装置。
［付記１９］
前記キャリア本体（１２）は、電気非伝導性のプラスチックからなることを特徴とする付記１ないし１８のいずれか１の装置。
［付記２０］
前記プラスチックは、少なくとも１つの疎水性活性添加剤を含むことを特徴とする付記１８又は１９の装置。
［付記２１］
評価ユニット（６０）が設けられていることを特徴とする付記１ないし２０のいずれか１の装置。
［付記２２］
前記評価ユニット（６０）は、電源を有することを特徴とする付記２１の装置。
［付記２３］
前記評価ユニット（６０）は、前記測定素子（１０）に組み込まれていることを特徴とする付記２１又は２２の装置。
［付記２４］
処理されていない液体を収容するための第１の容器（７２）と、
処理された液体を収容するための第２の容器（８６）と、
導電率測定装置（１）とを具備し、
前記導電率測定装置（１）は、
少なくとも１つのキャリア本体（１２）と、
垂直方向に延び、第１の端部（４２）及び第２の端部（４４）を有する少なくとも２つの電極（４０ａ、ｂ）とを有する、液体処理装置（７０）であって、
前記電極（４０ａ、ｂ）は、前記第１の端部（４２）の領域に少なくとも１つの遮蔽された領域（２２）を有し、
各電極（４０ａ、ｂ）は、少なくとも第１及び第２の露出した接触面（４６、５２）を有し、各々が、前記遮蔽された領域（２２）に隣接していることを特徴とする液体処理装置（７０）。
［付記２５］
前記電極（４０ａ、ｂ）の前記第２の露出した接触面（５２）は、液体のしぶき又ははね返る水から保護されるように、前記容器（７２、８６）内に配置されていることを特徴とする付記２４の装置。
［付記２６］
前記測定素子（１０）は、前記容器（７２、８６）の壁（８２、９０）の隣に配置されており、
前記電極（４０ａ、ｂ）の前記第２の露出した面（５２）は、前記壁（８２、９０）に面していることを特徴とする付記２４又は２５の装置。
［付記２７］
遮断壁が、水のしぶき又ははね返る水から保護するように、前記容器（７２、８６）中に設けられていることを特徴とする付記２４ないし２６のいずれか１の装置。
［付記２８］
仕切壁（９６）が、前記遮断壁として前記容器（７２、９６）中に配置されていることを特徴とする付記２７の装置。
［付記２９］
水処理装置であることを特徴とする付記２４ないし２８のいずれか１の装置。